(57)【要約】      （修正有）【課題】中芯材を外被布から取り出して洗浄した場合でも容易に再利用することが可能な浴槽用吸着具を提供する。【解決手段】浴槽用吸着具１００は、比重が１以下の繊維により構成され、浴槽内の水中を浮遊する皮脂を吸着保持するシート材をロール状に巻いた中芯材と、中芯材を包被し、皮脂を水中から中芯材に向けて透過させる外被布３１とを備え、外被布３１は、中芯材を取り出し可能な開口３２と、開口３２を開閉可能な開閉部材３３とを有する。【選択図】図２
2015134151.tif 000002
【特許請求の範囲】
【請求項１】
比重が１以下の繊維により構成され、浴槽内の水中を浮遊する皮脂を吸着保持する中芯材と、
前記中芯材を包被し、前記皮脂を前記水中から前記中芯材に向けて透過させる外被布とを備え、
前記外被布は、前記中芯材を取り出し可能な開口と、前記開口を開閉可能な開閉部とを有する
浴槽用吸着具。
【請求項２】
前記中芯材は、シート材をロール状に巻くことにより構成される棒状体である
請求項１に記載の浴槽用吸着具。
【請求項３】
前記浴槽用吸着具は、さらに、前記外被布に取り付けられた２つの腕部を備え、
前記２つの腕部は、連結及び分離が自在である
請求項１又は２に記載の浴槽用吸着具。
【請求項４】
前記浴槽用吸着具は、さらに、水面で前記中芯材を包被した外被布を所定の向きに移動させる推進部材を備え、
前記推進部材は、前記所定の向きにおける前記腕部の手前の位置で、前記中芯材を包被した外被布を抱持する
請求項３に記載の浴槽用吸着具。
【請求項５】
前記外被布は、所定の開口率で絡み合わせた繊維により構成される表示面部と、前記所定の開口率より大きな開口率で絡み合わせた繊維により構成された背面部とを有し、
前記開口は、前記背面部に設けられている
請求項１〜４のいずれか１項に記載の浴槽用吸着具。
【請求項６】
前記中芯材は、ポリプロピレンを絡み合わせた不織布により構成される
請求項１〜５のいずれか１項に記載の浴槽用吸着具。
【発明の詳細な説明】
【技術分野】
【０００１】
本発明は、浴槽内の水を浮遊する皮脂等の浮遊物を吸着する吸着具に関し、特に浴槽内の水に浮かんで浴槽内の水を浮遊する皮脂を吸着する吸着具に関する。
【背景技術】
【０００２】
従来から、一般家庭における入浴は浴槽内に溜めた水を適温に沸かしたり、浴槽内に適温の湯を給湯器から注いだりして浴槽内に湯を溜めた後、湯内に身体を浸すことにより行われている。このような入浴においては、入浴が行われる毎に湯の入れ替えが行われることは少なく、複数回、例えば４回程度入浴が行われた後で湯の入れ替えが行われる。従って、同じ湯に対して複数回の入浴が行われる場合も多々あり、このような複数回の入浴が行われた湯内には入浴された人の毛髪、角質及び皮脂等が浮遊することになる。湯内の皮脂は特に視認し難く、浴槽汚れの原因となるため、湯内の皮脂を効果的に除去する技術が求められている。
【０００３】
このような要望に応える技術としては、例えば特許文献１及び２に記載の浴槽用吸着具がある。この浴槽用吸着具は、親油性繊維の外被布と、この外被布で包被された１以下の比重の親油性繊維の中芯材とにより構成されている。
【先行技術文献】
【特許文献】
【０００４】
【特許文献１】特許第４０２９０９６号公報
【特許文献２】特許第４５９９３３２号公報
【発明の概要】
【発明が解決しようとする課題】
【０００５】
ところで、従来の浴槽用吸着具は、入浴が行われた又は行われている湯に浮かべて、湯の皮脂を中芯材に吸着及び保持させることにより使用が行われるが、使用を重ねる毎に中芯材に吸着された皮脂の量が増えていき、中芯材の吸着能が劣化していく。そして、最終的には中芯材の皮脂吸着能が飽和し、吸着が殆ど行われなくなる。
【０００６】
このような吸着能の飽和は、洗剤等により中芯材を洗浄することにより回復させることもできるが、従来の浴槽用吸着具では外被布は中芯材を包被した状態でその開口がバンドにより緊締されるため、中芯材を外被布から取り出して洗浄することは困難である。
【０００７】
このとき、緊締用のバンドを破壊することで外被布から中芯材を取り出すこともできるが、この場合、外被布の開口を再度緊締できなくなるため、洗浄後の浴槽用吸着具の使用に際して外被布から中芯材が容易にこぼれ落ちてしまい、外被布及び中芯材の一体性を保てなくなる。特に、従来の浴槽用吸着具では、中芯材として親油性繊維の他に浮力材としての細かなパイプ材を含むため、パイプ材がこぼれ落ちてしまい、中芯材の一体性も保てなくなる。従って、この方法を採用した場合、浴槽用吸着具を再度利用することは困難となる。
【０００８】
そこで、本発明は、かかる問題点に鑑み、中芯材を外被布から取り出して洗浄した場合でも容易に再利用することが可能な浴槽用吸着具を提供することを目的とする。
【課題を解決するための手段】
【０００９】
上記目的を達成するために、本発明の一態様に係る浴槽用吸着具は、比重が１以下の繊維により構成され、浴槽内の水中を浮遊する皮脂を吸着保持する中芯材と、前記中芯材を包被し、前記皮脂を前記水中から前記中芯材に向けて透過させる外被布とを備え、前記外被布は、前記中芯材を取り出し可能な開口と、前記開口を開閉可能な開閉部とを有することを特徴とする。
ここで、前記中芯材は、シート材をロール状に巻くことにより構成される棒状体であってもよい。
また、前記浴槽用吸着具は、さらに、前記外被布に取り付けられた２つの腕部を備え、前記２つの腕部は、連結及び分離が自在であってもよい。
【００１０】
また、前記浴槽用吸着具は、さらに、水面で前記中芯材を包被した外被布を所定の向きに移動させる推進部材を備え、前記推進部材は、前記所定の向きにおける前記腕部の手前の位置で、前記中芯材を包被した外被布を抱持してもよい。
【００１１】
また、前記外被布は、所定の開口率で絡み合わせた繊維により構成される表示面部と、前記所定の開口率より大きな開口率で絡み合わせた繊維により構成された背面部とを有し、前記開口は、前記背面部に設けられていてもよい。
また、前記中芯材は、ポリプロピレンを絡み合わせた不織布により構成されてもよい。
【発明の効果】
【００１２】
本発明によれば、中芯材を外被布から取り出して洗浄した場合でも容易に再利用することが可能な浴槽用吸着具を実現することができる。
【図面の簡単な説明】
【００１３】
【図１】本発明の第１の実施形態に係る浴槽用吸着具の構成を示す正面図である。
【図２】本発明の第１の実施形態に係る浴槽用吸着具の構成を示す背面図である。
【図３】本発明の第１の実施形態に係る浴槽用吸着具の中芯材の構成を示す斜視図である。
【図４】本発明の第１の実施形態に係る浴槽用吸着具の洗浄方法を示す斜視図である。
【図５】本発明の第１の実施形態に係る浴槽用吸着具の使用状態を示す斜視図である。
【図６】本発明の第１の実施形態に係る浴槽用吸着具の使用状態を示す断面図である。
【図７】本発明の第２の実施形態に係る浴槽用吸着具の構成を示す図である。
【図８】本発明の第２の実施形態に係る浴槽用吸着具の取付部材の構成を示す斜視図である。
【図９】本発明の第２の実施形態に係る浴槽用吸着具の動力部材の構成を示す図である。
【図１０】本発明の第２の実施形態に係る浴槽用吸着具の使用状態を示す斜視図である。
【図１１】本発明の第２の実施形態に係る浴槽用吸着具の使用状態を示す断面図である。
【発明を実施するための形態】
【００１４】
以下、本発明の実施形態について、図面を用いて詳細に説明する。
（第１の実施形態）
本発明の第１の実施形態に係る浴槽用吸着具１００の構成について、図１〜３を用いて説明する。
【００１５】
図１は、本実施形態に係る浴槽用吸着具１００の構成を示す正面図である。図２は、本実施形態に係る浴槽用吸着具１００の構成を示す背面図である。図３は、本実施形態に係る浴槽用吸着具１００の外被布３１内部の構成を示す正面図である。なお、図３は、浴槽用吸着具１００において外被布３１の表示面部３４を除いた正面図を示している。
【００１６】
浴槽用吸着具１００は、浴槽内の水に浮かんで浴槽内の水の皮脂を吸着する皮脂吸着具である。浴槽用吸着具１００は、皮脂を吸着保持する中芯材１１と、中芯材１１が挿入され、中芯材１１の形状維持を補助するためのネット２１と、ネット２１に入れられた中芯材１１を包被し、皮脂を水中から中芯材１１に向けて透過させる外被布３１と、外被布３１に取り付けられた腕部４１及び４２とを備える。
【００１７】
中芯材１１は、比重が１以下の繊維、例えば合成樹脂の繊維を絡み合わせた不織布から構成され、例えば中芯材１１の重さの約１０倍の重さの皮脂を吸着させるフィルターである。中芯材１１が１以下の比重の繊維から構成されるため、水に対する浮力を中芯材１１に発生させ、結果として浴槽用吸着具１００を水面に浮かせることが可能になる。これにより、多くが水面で浮遊する皮脂を浴槽用吸着具１００に効率的に吸着させることが可能になる。なお、中芯材１１に抗菌及び防カビ作用を付加するために、中芯材１１を構成する繊維に銀イオン等が練りこまれてもよい。
【００１８】
中芯材１１を構成する繊維としては、親油性のものが好ましく、例えばポリエチレン及びポリプロピレン等の繊維を用いることができる。中芯材１１が親油性の繊維より構成される場合は、中芯材１１に皮脂を効率的に吸着させることができるため、浴槽用吸着具１００の皮脂の吸着能を向上させることができる。
【００１９】
中芯材１１は、一定の厚さを持ち、平面視が矩形状の可撓性のシート状部材であり、長手方向にロール状に巻くことにより棒状の形状とされて外被布３１に包被される。中芯材１１は形状の変形及び維持が可能な部材であるため、棒状とされた後では、形状保持を目的として他の部材等により何らかの外部からの力を加え続けなくても、シート状に戻ることはなく棒状に維持される。
【００２０】
ネット２１は、一端が開口され、他端が閉じられた弾性変形可能な円筒状のメッシュネットであって、合成樹脂により構成されている。中芯材１１は、ネット２１の一端の開口を弾性変形させて拡開させた後、拡開された開口からネット２１の内部に押し込まれてネット２１の他端の奥まで挿入される。
【００２１】
外被布３１は、棒状の中芯材１１のカバーであり、比重が１以下の繊維、例えば合成樹脂の繊維を絡み合わせた不織布から構成される。外被布３１が１以下の比重の繊維から構成されるため、水に対する浮力を外被布３１に発生させ、結果として浴槽用吸着具１００の水に対する浮力を向上させることが可能になる。
【００２２】
外被布３１を構成する繊維としては、親油性のものが好ましく、例えばポリエチレン及びポリプロピレン等の繊維を用いることができる。これにより、効率的に中芯材１１に皮脂を導くことができるため、浴槽用吸着具１００の皮脂の吸着能を向上させることができる。
【００２３】
外被布３１は、略棒状の外形を有する中空のカバーであり、長さ方向つまり上下方向の中央部に位置する本体部に対し、下方に向かって二股に分かれた脚部が下端部に位置する形状を有している。
【００２４】
外被布３１は、所定の開口率で絡み合わせた繊維により構成され、異なる色の繊維の絡み合わせや異なる生地の絡み合わせ等を行うことで顔及び口等の所望の模様が描かれた表示面部３４を前面に有する。そして、外被布３１は、表示面部３４の所定の開口率より大きな開口率で絡み合わせた繊維により構成され、空気及び皮脂の透過性を向上させた背面部３５を後面に有する。表示面部３４と背面部３５との境界は、外被布３１の側面に設けられている。なお、ネット２１のメッシュの開口率は、外被布３１の背面部３５の開口率より大きい。
【００２５】
外被布３１の背面部３５には、棒状の中芯材１１を取り出し可能な開口３２が形成されていると共に、この開口３２を開閉可能な開閉部材３３が開口３２に設けられている。開閉部材３３としては、例えば外被布３１の上下方向に沿ったチャックを用いることができる。開口３２は、少なくとも棒状の中芯材１１の端部が挿入可能な大きさを持って形成されている。
【００２６】
腕部４１及び４２は、一端が外被布３１に結合された棒状部材であって、比重が１以下の繊維、例えば合成樹脂の繊維を絡み合わせた不織布から構成されることが好ましい。腕部４１及び４２が１以下の比重の繊維から構成される場合は、水に対する浮力を腕部４１及び４２に発生させ、浴槽用吸着具１００の水に対する浮力を向上させることができる。
【００２７】
腕部４１及び４２は、外被布３１の本体部から左右方向に突き出すように設けられており、その先端には、腕部４１及び４２の先端同士の連結及び分離を可能とする連結部材４３が設けられている。
【００２８】
連結部材４３としては、例えば腕部４１に設けられたリング状部材と、腕部４２に設けられ、このリング状部材と引っ掛かる形で係合可能なフック片とから構成された部材を用いることができる。
次に、本実施形態に係る浴槽用吸着具１００の洗浄方法について、図４を用いて説明する。
図４は、本実施形態に係る浴槽用吸着具１００の洗浄方法を示す斜視図である。
【００２９】
浴槽用吸着具１００の洗浄では、まず、図４（ａ）に示されるように、ネット２１に挿入された状態の棒状の中芯材１１が外被布３１から開口３２を介して取り出された後、ネット２１から棒状の中芯材１１が取り出される。
【００３０】
次に、中芯材１１が棒状からシート状に展開された後、図４（ｂ）に示されるように、水及び洗浄剤等によりシート状の中芯材１１と、ネット２１と、外被布３１と、腕部４１及び４２とが洗浄される。その後、中芯材１１、ネット２１と、外被布３１、腕部４１及び４２を効率的に乾燥させるため水及び洗浄剤の絞り出しが行われるが、外被布３１、腕部４１及び４２は棒状であるため、容易に手で把持することができ、捻り等により効率的に絞り出しを行うことができる。また、中芯材１１についても、シート状の中芯材１１を再び棒状に変形させることで、効率的な絞り出しを行うことができる。
【００３１】
次に、図４（ｃ）に示されるように、洗浄された中芯材１１、ネット２１、外被布３１並びに腕部４１及び４２を干すことにより、乾燥が行われる。この乾燥は、腕部４１及び４２を連結させてリング状とし、空中に掛け渡された紐等に引っ掛けることにより行うこともできる。このとき、中芯材１１を効率的に乾燥させるために、中芯材１１をシート状とし、外気に曝される表面積を大きくして乾燥することが好ましい。
次に、本実施形態に係る浴槽用吸着具１００の使用方法について、図５及び図６を用いて説明する。
図５は、本実施形態に係る浴槽用吸着具１００の使用状態を示す斜視図である。図６は、本実施形態に係る浴槽用吸着具１００の使用状態を示す断面図である。
【００３２】
浴槽用吸着具１００は、外被布３１の表示面部３４が上方を向き、背面部３５が下方つまり浴槽２００内の水面２１１に向かう形で、浴槽２００内の水２１０に浮かべて使用することが好ましい。この場合、表示面部３４に対して開口率の大きな背面部３５が浴槽２００内の水２１０と接し、水面２１１に浮かんだ浴槽２００内の皮脂を、背面部３５を介して効率的に中芯材１１に導き、除去することが可能になる。
【００３３】
以上のように本実施形態の浴槽用吸着具１００は、比重が１以下の繊維により構成され、浴槽内の水中を浮遊する皮脂を吸着保持する中芯材１１と、中芯材１１を包被し、皮脂を水中から中芯材１１に向けて透過させる外被布３１とを備える。そして、外被布３１は、中芯材１１を取り出し可能な開口３２と、この開口３２を開閉可能な開閉部材３３とを有する。このような構成により、外被布３１の開口３２をチャック等の開閉部材３３により開閉できるので、中芯材１１を外被布３１から取り出して洗浄した後でも、容易に中芯材１１を再度外被布３１内に戻して浴槽用吸着具として再利用することができる。つまり、使用により中芯材１１の皮脂吸着能が飽和されても、洗浄により中芯材１１の皮脂吸着能を回復させ、外被布３１及び中芯材１１を容易に一体として利用することができる。
【００３４】
また、本実施形態の浴槽用吸着具１００では、中芯材１１は、シート材をロール状に巻くことにより構成される棒状体である。このような構成により、中芯材１１の乾燥においてはシート状として乾燥時間を短くすると共に、中芯材１１の洗浄及び外被布３１への挿入においては棒状とし中芯材１１の洗浄及び外被布３１への挿入を容易に行うことができる。
【００３５】
また、本実施形態の浴槽用吸着具１００は、さらに、外被布３１に取り付けられた２つの腕部４１及び４２を備え、２つの腕部４１及び４２は、連結及び分離が自在である。このような構成により、腕部４１及び４２を連結させてリング状とし、空中に掛け渡された紐等に引っ掛けることにより乾燥を容易に行うことができる。
【００３６】
また、本実施形態の浴槽用吸着具１００では、外被布３１は、所定の開口率で絡み合わせた繊維により構成される表示面部３４と、所定の開口率より大きな開口率で絡み合わせた繊維により構成された背面部３５とを有し、開口３２は、背面部３５に設けられている。このような構成により、背面部３５で皮脂の良好な透過性を確保すると共に、開口３２を介した中芯材１１の出し入れを可能にすることができる。そして、表示面部３４については開口を目立たなくし、細かで多様性のある模様の形成を実現することができる。従って、キャラクター性に富むと共に、高性能な皮脂除去材としての使用を可能にする浴槽用吸着具を実現することができる。
【００３７】
また、本実施形態の浴槽用吸着具１００では、中芯材１１は、ポリプロピレンを絡み合わせた不織布により構成される。このような構成により、中芯材１１を親油性の繊維で構成し、中芯材１１の皮脂の吸着能を向上させることができる。
（第２の実施形態）
【００３８】
次に、本発明の第２の実施形態に係る浴槽用吸着具３００の構成について、図７〜９を用いて説明する。以下、第１の実施形態の浴槽用吸着具３００と異なる点を中心に説明する。
【００３９】
図７は、本実施形態に係る浴槽用吸着具３００の全体構成を示す図である。図８は、本実施形態に係る浴槽用吸着具３００の取付部材５２の構成を示す斜視図である。図９は、本実施形態に係る浴槽用吸着具３００の動力部材５１の構成を示す図である。
【００４０】
なお、図７において、図７（ａ）は浴槽用吸着具３００の正面図を示し、図７（ｂ）は浴槽用吸着具３００を上方から見た平面図を示し、図７（ｃ）は浴槽用吸着具３００を下方から見た平面図を示し、図７（ｄ）は浴槽用吸着具３００を側方から見た側面図を示し、図７（ｅ）は浴槽用吸着具３００の背面図を示している。
【００４１】
また、図９において、図９（ａ）は浴槽用吸着具３００の動力部５１の背面図を示し、図９（ｂ）は浴槽用吸着具３００の動力部５１を上方から見た平面図を示し、図９（ｃ）は浴槽用吸着具３００の動力部５１を下方から見た平面図を示し、図９（ｄ）は浴槽用吸着具３００の動力部５１を左側方から見た側面図を示し、図９（ｅ）は浴槽用吸着具３００の動力部５１の正面図を示し、図９（ｆ）は浴槽用吸着具３００の動力部５１を右側方から見た側面図を示している。
【００４２】
本実施形態の浴槽用吸着具３００は、中芯材１１を包被した外被布３１（以下、単に「吸着具本体」という。）を水面で所定の向きに移動させる推進部材５０をさらに備える点において第１の実施形態の浴槽用吸着具１００と異なる。
推進部５０は、吸着具本体に推進部５０を取り付けるための取付部５２と、吸着具本体を移動させる動力源となる動力部５１とから構成されている。
【００４３】
取付部５２は、図８に示されるように、その内側に吸着具本体が挿入されて吸着具本体を抱持するリング状の第１バンド材５２ｂと、第１バンド材５２ｂの背面に延伸方向の両端が固定された上面視がコ字状の部材であり、その内側に動力部材５１の嵌合部５１ｃが嵌入される第２バンド材５２ａとを有している。
【００４４】
第１バンド材５２ｂは、吸着具本体が下方の脚部から挿入されて、吸着具本体における腕部４１及び４２との連結箇所の高さ位置より低い位置の部分に取り付けられる。これにより、推進部材５０の推進力により吸着具本体が水面を移動し、取付部５２の取り付け位置が吸着具本体の上方にずれていった場合でも、取付部５２は吸着具本体の腕部４１及び４２との連結箇所つまり脇に引っ掛かるため、取付部５２が吸着具本体から抜け落ちることが防止される。
【００４５】
動力部５１は、図９に示されるように、中空棒状の筐体５１ａと、筐体５１ａの下部に取り付けられたプロペラ５１ｂと、筐体５１ａの側面に取り付けられた四角柱状の嵌合部５１ｃと、プロペラ５１ｂの下方に位置するように筐体５１ａの下部に取り付けられた板状の舵５１ｄとを有する。
【００４６】
筐体５１ａの内部には、モータ及びその電力源、例えば電池が収納されており、プロペラ５１ｂはこのモータと連結されてモータにより回転する。舵５１ｄは、プロペラ５１ｂの回転に基づく吸着具本体の移動において、自身を構成する板の向きにより移動方向を決定する。
次に、本実施形態に係る浴槽用吸着具３００の使用方法について、図１０及び図１１を用いて説明する。
【００４７】
図１０は、本実施形態に係る浴槽用吸着具３００の使用状態を示す斜視図である。図１１は、本実施形態に係る浴槽用吸着具３００の使用状態を示す断面図である。
【００４８】
浴槽用吸着具３００は、外被布３１の表示面部３４が上方を向き、背面部３５が下方つまり浴槽２００内の水面２１１に向かう形で、浴槽２００内の水２１０に浮かべて使用される。この使用において、動力部５１は吸着具本体の背面部３５側に位置するように吸着具本体に取り付けられているため、動力部５１は水２１０の中に位置することとなる。従って、浴槽用吸着具３００は、水中に位置する動力部材５１のプロペラ回転により水面２１１上を移動する。本実施の形態の浴槽用吸着具３００は、第１の実施形態の浴槽用吸着具１００のように単に水面２１１に浮かべて使用される場合と比較して長距離移動することとなり、水面２１１に浮かんだ浴槽２００内の皮脂を更に効率的に除去することができる。
【００４９】
以上のように本実施形態の浴槽用吸着具３００は、さらに、水面２１１で中芯材１１を包被した外被布３１を所定の向きに移動させる推進部５０を備え、推進部５０は、所定の向きにおける腕部４１及び４２の手前の位置で、中芯材１１を包被した外被布３１を抱持する。このような構成により、推進部５０により浴槽用吸着具３００を移動させて水面２１１に浮かんだ浴槽２００内の皮脂を効率的に除去できると共に、浴槽用吸着具３００を水面２１１で移動させているときに推進部５０が抜け落ちることを防止できる。
【００５０】
以上、本発明の浴槽用吸着具について、実施形態に基づいて説明したが、本発明は、これらの実施形態に限定されるものではない。本発明の要旨を逸脱しない範囲内で当業者が思いつく各種変形を施したものも本発明の範囲内に含まれる。
【００５１】
例えば、上記実施形態において、開閉部材３３及び連結部材４３としてチャックを例示し、腕部４１及び４２の連結部材４３としてリング状部材及びフック片を例示したが、面ファスナー等の面接合部材、又はスナップボタン等の嵌合部材が用いられてもよい。具体的に、開閉部材３３は外被布３１の開口３２周辺に形成された面ファスナー又はスナップボタンであってもよく、連結部材４３は腕部４１及び４２の先端に形成された面ファスナー又はスナップボタンであってもよい。
【００５２】
また、上記実施形態において、浴槽用吸着具１００の乾燥は、中芯材１１及び外被布３１を分離して行われるとしたが、中芯材１１を外被布３１に挿入して一体とした状態で行われてもよい。
【００５３】
また、上記実施形態において、動力部材５１のプロペラは乾電池を起電力として駆動される電動モータにより回転動されるとしたが、これに限られず、例えばゼンマイ式のモータにより回転動されてもよい。
【産業上の利用可能性】
【００５４】
本発明は、浴槽内の水を浮遊する皮脂を吸着する吸着具等において広く利用することができる。
【符号の説明】
【００５５】
１１    中芯材
２１    ネット
３１    外被布
３２    開口
３３    開閉部材
３４    表示面部
３５    背面部
４１、４２    腕部
４３    連結部材
５０    推進部材
５１    動力部
５１ａ    筐体
５１ｂ    プロペラ
５１ｃ    嵌合部
５１ｄ    舵
５２    取付部
５２ａ    第２バンド材
５２ｂ    第１バンド材
１００    浴槽用吸着具
２００    浴槽
２１０    水
２１１    水面
【図１】
2015134151.tif 000003
【図２】
2015134151.tif 000004
【図３】
2015134151.tif 000005
【図４】
2015134151.tif 000006
【図５】
2015134151.tif 000007
【図６】
2015134151.tif 000008
【図７】
2015134151.tif 000009
【図８】
2015134151.tif 000010
【図９】
2015134151.tif 000011
【図１０】
2015134151.tif 000012
【図１１】
2015134151.tif 000013